【手続補正書】
【提出日】平成19年9月11日(2007.9.11)
【手続補正１】
【補正対象書類名】明細書
【補正対象項目名】００１２
【補正方法】変更
【補正の内容】
【００１２】
ＣＤＭＡを用いたデジタル移動通信システムのためのセル初期探索方法は、基地局によって送信された情報をユーザ装置が正確に受信するために使用される。この方法は、ユーザ装置が作動周波数を選択し、その作動周波数で基地局とのダウンリンク同期を達成することを特徴としており、下記のステップを含む。
ａ．トレーニングシーケンスの電力特性ウィンドウ値方法に基づいて、ダウンリンクトレーニングシーケンスタイムスロットの範囲を決定する
ｂ．この範囲内で、受信したデータ及びトレーニングシーケンスを相関させることにより、ユーザ装置の正確な受信位置を得る
【手続補正２】
【補正対象書類名】明細書
【補正対象項目名】００１３
【補正方法】変更
【補正の内容】
【００１３】
前述の「トレーニングシーケンスの電力特性ウィンドウ値方法に基づく」ステップは、以下を含む。
ａ．基地局のフレーム構造において、ダウンリンクパイロットシーケンスタイムスロット（ＤｗＰＴＳ）内の同期記号の送信電力を増大し、ＤｗＰＴＳ内の同期信号の前後に位置する保護された記号に対してはいかなる電力も送信しない
ｂ．受信の際に、ユーザ装置はまずＤｗＰＴＳの電力特性ウィンドウ値を探索し、同期記号の位置範囲が発見された後は、その位置付近のみが相関される
【手続補正３】
【補正対象書類名】明細書
【補正対象項目名】００１４
【補正方法】変更
【補正の内容】
【００１４】
前述の「同期記号の位置範囲を発見するための、ＤｗＰＴＳの電力特性ウィンドウ値の探索」は、以下の動作を含む。
ＵＥはまず作動周波数をロックし、次にデータフレームを受信する；ＤｗＰＴＳ内の各同期信号の電力を計算する；各同期記号の位置で電力特性ウィンドウ値を計算する；データフレーム全体の平均電力特性ウィンドウ値を計算する；受信したデータフレーム全体の全ての同期記号位置における最小の電力特性ウィンドウ値を探索する；平均電力特性ウィンドウ値及び最小電力特性ウィンドウ値の比が閾値よりも大きいか否かを判断し、そうである場合は最小電力特性ウィンドウ値の位置がＤｗＰＴＳの開始位置として選択される；受信データフレームと開始位置付近の全ての同期記号のそれぞれを相関し、正確な受信開始点を得て、ダウンリンク同期を終了する。
【手続補正４】
【補正対象書類名】明細書
【補正対象項目名】００１５
【補正方法】変更
【補正の内容】
【００１５】
前述の「各同期記号の電力を計算する」とは、同期記号開始点として受信の瞬間を選択し、その同期記号に属する全てのチップの電力を加えて各同期記号の電力を得る、ということである。
【手続補正５】
【補正対象書類名】明細書
【補正対象項目名】００１６
【補正方法】変更
【補正の内容】
【００１６】
前述の「各同期記号の位置で電力特性ウィンドウ値を計算する」とは、受信データフレームの一部にかかる特性ウィンドウ内の各記号の電力を計算し、下記式を用いて各位置の電力特性ウィンドウ値Ｒ（ｉ）を各位置で計算する、ということである。
【手続補正６】
【補正対象書類名】明細書
【補正対象項目名】００１９
【補正方法】変更
【補正の内容】
【００１９】
前述の「各同期記号の位置で電力特性ウィンドウ値を計算する」とは、受信データフレームの一部にかかる特性ウィンドウ内の各チップの電力を計算し、各チップの電力に基づいて各位置で電力特性ウィンドウ値を計算する、ということである。
【手続補正７】
【補正対象書類名】明細書
【補正対象項目名】００２４
【補正方法】変更
【補正の内容】
【００２４】
下記式を用いてハードウェアのための調節値を計算する、即ち搬送波周波数の差の調節値を計算する。
ｆα（ｎ）＝ｆｅ（ｎ）×ｃｏｅｆk（ｎ）
式中、ｆｅ（ｎ）は受信したｎ番目のデータフレームの推定搬送波周波数差であり、調節係数ｃｏｅｆkの範囲は０乃至１の間であり、ｋが大きいほど、より小さいｃｏｅｆkが選択される。
【手続補正８】
【補正対象書類名】明細書
【補正対象項目名】００３０
【補正方法】変更
【補正の内容】
【００３０】
この方法において、前述の「基地局とのダウンリンク同期を達成する」ステップは、以下の動作を含む。
ａ．まず、トレーニングシーケンスの電力特性ウィンドウ値方法に基づいて、ダウンリンクトレーニングシーケンスタイムスロットの範囲を決定するｂ．この範囲内で、受信したデータ及びトレーニングシーケンスを相関させることにより、ユーザ装置の正確な受信位置を得る
【手続補正９】
【補正対象書類名】明細書
【補正対象項目名】００３２
【補正方法】変更
【補正の内容】
【００３２】
前述の「トレーニングシーケンスの電力特性ウィンドウ値方法に基づく」ステップは、以下を含む。
ａ．基地局のフレーム構造において、ダウンリンクパイロットタイムスロット（ＤｗＰＴＳ）内の同期記号の送信電力を増大し、ＤｗＰＴＳ内の同期記号の前後に位置する保護された記号に対してはいかなる電力も送信しない
ｂ．受信の際に、ユーザ装置はまずＤｗＰＴＳの電力特性ウィンドウ値を探索し、同期記号の位置範囲が発見された後は、その位置付近のみが相関される
【手続補正１０】
【補正対象書類名】明細書
【補正対象項目名】特許請求の範囲
【補正方法】変更
【補正の内容】
【特許請求の範囲】
【請求項１】
基地局によって送信された情報をユーザ装置が正確に受信するように使用される、ＣＤＭＡデジタル移動通信システムのためのセル初期探索方法であって、 前記ユーザ装置によって作動周波数点を選択するステップと、 前記作動周波数点で前記基地局とのダウンリンク同期を達成するステップと、 を含み、ダウンリンク同期を達成する前記ステップが、 ａ．トレーニングシーケンスに基づいた電力特性ウィンドウ値を用いること によってダウンリンクトレーニングシーケンスのタイムスロットの範囲を決定 し、 ｂ．前記範囲内で、受信したデータ及びトレーニングシーケンスを相関させることによって前記ユーザ装置の正確な受信位置を得る、 ことを含む、前記方法。
【請求項２】
トレーニングシーケンスに基づいた前記電力特性ウィンドウ値の方法が、 ａ．基地局のデータフレームのダウンリンクパイロットシーケンスタイムスロット（ＤｗＰＴＳ）内の同期記号の送信電力を増大し、前記ＤｗＰＴＳ内の前記同期信号の前後に位置する保護された記号に対してはいかなる電力も送信しないステップと、 ｂ．受信の際に、まず、前記ユーザ装置によって前記ＤｗＰＴＳの電力特性ウィンドウ値を探索し、前記同期記号の位置範囲の発見後は、前記位置付近のみを相関させるステップと、 を含む、請求項１に記載の方法。
【請求項３】
前記同期記号の位置範囲を発見するための、前記ＤｗＰＴＳの電力特性ウィンドウ値の探索が、 まず前記ユーザ装置によって作動周波数点をロックし、データフレームを受信するステップと、 前記ＤｗＰＴＳ内の各同期信号の電力を計算するステップと、 各同期記号の位置で電力特性ウィンドウを計算するステップと、 完全な前記データフレームの平均電力特性ウィンドウ値を計算するステップと、 受信した前記データフレームの全ての同期記号位置における最小の電力特性ウィンドウ値を探索するステップと、 前記平均電力特性ウィンドウ値及び前記最小電力特性ウィンドウ値の比が閾値よりも大きいか否かを判断し、そうである場合は前記最小電力特性ウィンドウ値の位置が前記ＤｗＰＴＳの開始位置として選択されるステップと、 前記受信データフレームと前記開始位置付近の全ての同期記号のそれぞれを相関させ、前記ダウンリンク同期を終了するステップと、 を含む、請求項２に記載の方法。
【請求項４】
各同期記号の電力の計算が、同期記号開始点として前記受信の瞬間を選択し、前記同期記号に属する全てのチップの電力を加え、前記同期記号の前記電力を得る、 ことを含む、請求項３に記載の方法。
【請求項５】
各同期記号位置での電力特性ウィンドウ値の計算が、前記受信データフレームの一部にかかる特性ウィンドウ内の各記号の電力を計算し、下記式を用いて各位置の電力特性ウィンドウ値Ｒ（ｉ）を各位置で計算し、式中、ｉは実際の受信位置を表し、Ｐ（ｋ）は各記号の電力値を表し、Ｎ及びＭは特性ウィンドウパラメータである、請求項３に記載の方法。
【数１】
2003529302.tif 000001
【請求項６】
各同期記号位置での電力特性ウィンドウ値の計算が、前記受信データフレームの一部にかかる特性ウィンドウ内の各チップの電力を計算し、前記各チップの電力に基づいて各位置で前記電力特性ウィンドウ値を計算する、 ことを含む、請求項３に記載の方法。
【請求項７】
基地局によって送信された情報をユーザ装置が正確に受信するように使用される、ＣＤＭＡデジタル移動通信システムのためのセル初期探索方法であって、 前記ユーザ装置と前記基地局との間の搬送波の偏差を前記ユーザ装置によって追跡するステップと、 前記ユーザ装置のデジタル復調器内で前記搬送波の偏差を補正するステップと、 を含み、前記搬送波の偏差を補正する前記ステップが、 ａ．ソフトウェアによって前記搬送波の偏差を推定し、決定及びフィードバ ック方法を用いることによってハードウェアを調節し、ｂ．結合検出に基づいた搬送波偏差補正方法を用いることにより、多経路及び多元接続の干渉を抑制し、前記搬送波の偏差をベースバンド復調によって必 要とされる範囲に補正する、 ことを含む、前記方法。
【請求項８】
前記ステップａが、 各データフレームの前記搬送波の偏差をソフトウェアによって推定し、 ハードウェアのための調節値を計算し、 計算された前記調節値を用いて、前記デジタル復調器内の自動周波数制御（ＡＦＣ）ハードウェアを調節する、 ことを更に含む、請求項７に記載の方法。
【請求項９】
下記式を用いて各データフレームの前記搬送波の偏差を推定し、式中、αは推定された周波数の偏差を表し、Ｉ及びＱは直交復調信号であり、Ｌは統計的長さである、請求項８に記載の方法。
【数２】
2003529302.tif 000002
【請求項１０】
式ｆα（ｎ）＝ｆｅ（ｎ）×ｃｏｅｆk（ｎ）を用いてハードウェアのための調節値を計算し、式中、ｆｅ（ｎ）は受信したｎ番目のデータフレームの推定搬送波周波数偏差であり、調節係数ｃｏｅｆkの範囲は０乃至１の間であり、ｋが大きいほど、より小さいｃｏｅｆkが選択される、請求項７又は請求項８に記載の方法。
【請求項１１】
前記ステップｂが、 実際のチャネル応答を推定するためにデータバーストのトレーニングシーケンスのミッドアンブルを各データフレームに挿入し、 結合検出技術を用いて、多経路及び多元接続の干渉を前記ユーザ装置によって抑制し、前記トレーニングシーケンスのミッドアンブル付近の記号を復調し、 これらの記号に含まれる前記搬送波偏差の情報を用いて自動周波数制御ハードウェアを調節する、 ことを更に含む、請求項７に記載の方法。
【請求項１２】
結合検出技術を用いた多経路及び多元接続の干渉の抑制及び前記トレーニングシーケンスのミッドアンブル付近の記号の復調が、 結合検出技術を用いて受信データを復調し、前記トレーニングシーケンスのミッドアンブルの前後にあるＰ個の文字を取得し、これらをそれぞれＸ（１）…Ｘ（Ｐ）及びＹ（１）…Ｙ（Ｐ）として記録し、 Ｘｉ（ｎ）＝Ｘ（ｎ）／Ｘｊ（ｎ）、Ｙｉ（ｎ）＝Ｙ（ｎ）／Ｙｊ（ｎ）をそれぞれ計算し、式中、Ｘｊ（ｎ）＝Ｙｊ（ｎ）＝±π／４又は±３π／４であり、 下記式によって搬送波周波数偏差方向を得て、
【数３】
2003529302.tif 000003
計算された前記搬送波周波数偏差方向に基づいて、自動周波数制御ハードウェアの調節ステップ長を設定し、 前記搬送波周波数偏差方向に従って、前記調節ステップ長を用いて自動周波数制御ハードウェアを調節する、 ことを含む、請求項１１に記載の方法。
【請求項１３】
ユーザ装置によって作動周波数点を選択するステップと、前記作動周波数点で基地局とのダウンリンク同期を達成するステップと、前記ユーザ装置と前記基地局との間の搬送波の偏差を前記ユーザ装置によって追跡するステップと、デジタル復調器内で前記搬送波の偏差を補正するステップと、を含む、ＣＤＭＡデジタル移動通信システムのためのセル初期探索方法であって、前記基地局とのダウンリンク同期を達成する前記ステップが、 ａ．トレーニングシーケンスに基づいた電力特性ウィンドウ値を用いること によってダウンリンクトレーニングシーケンスのタイムスロットの範囲を決定 し、 ｂ．前記範囲内で、受信したデータ及びトレーニングシーケンスを相関させることによって前記ユーザ装置の正確な受信位置を得る、 ことを更に含み、前記デジタル復調器内で前記搬送波の偏差を補正する前記ステップが、 ａ．ソフトウェアによって前記搬送波の偏差を推定し、決定及びフィードバ ック方法を用いることによってハードウェアを調節し、 ｂ．結合検出に基づいた搬送波偏差補正方法を用いることにより、多経路及 び多元接続の干渉を抑制し、前記搬送波の偏差をベースバンド復調によって必 要とされる範囲に補正する、 ことを更に含む、前記方法。
【請求項１４】
電力特性ウィンドウ値方法を使用し、作動周波数点を決定することによってＤｗＰＴＳのおおよその位置範囲を探索するステップと、 決定された前記位置範囲内で受信したデータ及びトレーニングシーケンスを相関させることによって正確な受信位置を探索し、ダウンリンク同期を達成するステップと、 結合検出に基づいた搬送波偏差補正方法を用いることによって搬送波の偏差を回復するステップと、 を含む、ＣＤＭＡデジタル移動通信システムのためのセル初期探索方法。
【請求項１５】
前記電力特性ウィンドウ値方法を用いることによって前記ＤｗＰＴＳのおおよその位置範囲を探索する前記ステップが、 ユーザ装置によって作動周波数点をロックし、完全なデータフレームを受信し、 各記号の電力Ｐを計算し、 各記号の位置での電力特性ウィンドウ値を計算し、 平均電力特性ウィンドウ値を計算し、最小の電力特性ウィンドウ値を探索し、 前記平均電力特性ウィンドウ値及び前記最小電力特性ウィンドウ値の比を計算し、 前記比が閾値よりも大きいか否かを判断し、そうである場合は、前記最小電力特性ウィンドウ値の位置を前記ＤｗＰＴＳの開始位置とする、 ことを含む、請求項１４に記載の方法。
【請求項１６】
各記号電力Ｐの計算が、記号開始点として受信の瞬間を選択し、前記記号に属する全てのチップの電力を加え、前記記号の前記電力を得る、 ことを含む、請求項１５に記載の方法。
【請求項１７】
結合検出に基づいた搬送波偏差補正方法を用いることによって搬送波の偏差を回復する前記ステップが、 ａ．フレームの数をｎ＝０に初期化してデータフレームを受信し、 ｂ．前記データフレームの搬送波周波数偏差をソフトウェアによって推定し、 ｃ．前記搬送波周波数偏差の調節値を計算し、即ち、ハードウェア調節値を計算し、 ｄ．計算された前記ハードウェア調節値に従って自動周波数制御ハードウェアを調節し、ｎ＝ｎ＋１のようにｎを増加し、ｎが調節フレームの予め設定された数Ｑよりも大きいか否かを判断し、そうでない場合は次のデータフレームを受信してステップｂに戻り、ｎが調節フレームの予め設定された数Ｑよりも大きい場合は終了する、 ことを含む、請求項１４に記載の方法。
【請求項１８】
結合検出に基づいた搬送波偏差補正方法を用いることによって搬送波の偏差を回復する前記ステップが、 ｅ．ｍ個のデータフレームを受信し、 ｆ．受信した前記ｍ個のデータフレームを結合検出技術を用いて復調し、即ち、トレーニングシーケンスのミッドアンブル付近のデータ記号を復調し、前記トレーニングシーケンスのミッドアンブルの前後にあるＰ個の記号をそれぞれ取得し、 ｇ．前記ｍ個のデータフレームの前記トレーニングシーケンスのミッドアンブル前後にある前記Ｐ個の記号の搬送波周波数偏差方向を計算し、 ｈ．計算された前記搬送波周波数偏差方向に従って、自動周波数制御ハードウェアのための調節ステップ長を設定し、 ｉ．得られた前記搬送波周波数偏差方向に従って、前記自動周波数制御ハードウェアを前記調節ステップ長を用いて調節する、 ことを含む、請求項１４又は請求項１７に記載の方法。
【請求項１９】
ステップｅ乃至ステップｉを繰り返すことを更に含む、請求項１８に記載の方法。